【手続補正書】
【提出日】平成26年10月20日(2014.10.20)
【手続補正１】
【補正対象書類名】特許請求の範囲
【補正対象項目名】全文
【補正方法】変更
【補正の内容】
【特許請求の範囲】
【請求項１】
画像形成を行うための画像情報を制御するコントローラと通信可能であり、画像形成動作を制御するエンジン制御部を有する画像形成装置であって、
前記コントローラと前記エンジン制御部との通信が中断されている際に、通信が中断される前の状態から通信が中断されているときの状態が変化したことを検知すると、状態が変化したことを示す情報を記憶する記憶手段を備え、
前記エンジン制御部は、前記コントローラとの通信の中断から復帰すると、前記コントローラから通信が中断されている際に発生した状態変化の内容の通知の要求を受けることなく、前記記憶手段に記憶された情報に基づき、画像形成装置の状態変化の内容を示すものではなく、状態変化が発生したか否かを示す画像形成装置の状態変化に関する情報を前記コントローラに通知することを特徴とする画像形成装置。
【請求項２】
前記コントローラは、前記画像形成装置の状態変化に関する情報により通信が中断されている際に状態変化が発生したことを通知されると、発生した状態変化の内容の通知を前記エンジン制御部に要求することを特徴とする請求項１に記載の画像形成装置。
【請求項３】
前記エンジン制御部は、前記コントローラから通信が中断されている際に発生した状態変化の内容の通知を要求されると、画像形成装置における状態変化の内容を検知し、前記コントローラに通知することを特徴とする請求項２に記載の画像形成装置。
【請求項４】
前記エンジン制御部は、前記記憶手段に記憶された情報に基づき状態変化があったと判断すると、前記コントローラから通信が中断されている際に発生した状態変化の内容の通知の要求を受けることなく、画像形成装置における状態変化の内容を検知し、前記コントローラに通知することを特徴とする請求項１に記載の画像形成装置。
【請求項５】
前記コントローラと前記エンジン制御部との通信が中断されている状態において、前記記憶手段に状態が変化したことを示す情報が記憶された後も、通信の中断が継続されることを特徴とする請求項１乃至４のいずれか１項に記載の画像形成装置。
【請求項６】
前記コントローラと前記エンジン制御部との通信は、省電力モードになることによって中断されることを特徴とする請求項１乃至５のいずれか１項に記載の画像形成装置。
【請求項７】
前記記憶手段は、前記記憶手段に記憶された情報として、状態変化の有無が判断できない不定であるというステータスを有することを特徴とする請求項１乃至６のいずれか１項に記載の画像形成装置。
【請求項８】
画像形成を行うための画像情報を制御する第１の制御手段と通信可能であり、画像形成動作を制御する第２の制御手段を有する画像形成装置であって、
前記第１の制御手段と前記第２の制御手段との通信が中断されている際に、通信が中断される前の状態から通信が中断されているときの状態が変化したことを検知すると、状態が変化したことを示す情報を記憶する記憶手段を備え、
前記第２の制御手段は、前記第１の制御手段との通信の中断から復帰すると、前記第１の制御手段から通信が中断されている際に発生した状態変化の内容の通知の要求を受けることなく、前記記憶手段に記憶された情報に基づき、画像形成装置の状態変化の内容を示すものではなく、状態変化が発生したか否かを示す画像形成装置の状態変化に関する情報を前記第１の制御手段に通知することを特徴とする画像形成装置。
【請求項９】
画像形成を行うための画像情報を制御するコントローラと通信可能であり、画像形成動作を制御するエンジン制御部を有する画像形成装置であって、
前記エンジン制御部は、前記コントローラと前記エンジン制御部との通信が中断されている際に、画像形成装置の状態変化を判断することができなければ、状態変化が不定であることを示す情報を記憶手段に記憶させ、
前記コントローラとの通信が再開されたときに、前記記憶手段に記憶された情報に基づき画像形成装置の状態変化に関する情報を前記コントローラに通知することを特徴とする画像形成装置。
【請求項１０】
画像形成を行うための画像情報を制御する第１の制御手段と通信可能であり、画像形成動作を制御する第２の制御手段を有する画像形成装置であって、
前記第２の制御手段は、前記第１の制御手段と前記第２の制御手段との通信が中断されている際に、画像形成装置の状態変化を判断することができなければ、状態変化が不定であることを示す情報を記憶手段に記憶させ、
前記第１の制御手段との通信が再開されたときに、前記記憶手段に記憶された情報に基づき画像形成装置の状態変化に関する情報を前記第１の制御手段に通知することを特徴とする画像形成装置。
【手続補正２】
【補正対象書類名】明細書
【補正対象項目名】０００６
【補正方法】変更
【補正の内容】
【０００６】
上記目的を達成するために、画像形成を行うための画像情報を制御するコントローラと通信可能であり、画像形成動作を制御するエンジン制御部を有する画像形成装置であって、前記コントローラと前記エンジン制御部との通信が中断されている際に、通信が中断される前の状態から通信が中断されているときの状態が変化したことを検知すると、状態が変化したことを示す情報を記憶する記憶手段を備え、前記エンジン制御部は、前記コントローラとの通信の中断から復帰すると、前記コントローラから通信が中断されている際に発生した状態変化の内容の通知の要求を受けることなく、前記記憶手段に記憶された情報に基づき、画像形成装置の状態変化の内容を示すものではなく、状態変化が発生したか否かを示す画像形成装置の状態変化に関する情報を前記コントローラに通知することを特徴とする。
【手続補正３】
【補正対象書類名】明細書
【補正対象項目名】００１３
【補正方法】変更
【補正の内容】
【００１３】
次に、図２に画像形成装置の動作を制御するハードウェア構成及びその機能からなる制御システムを示したブロック図を示す。エンジン制御部１０３は、演算処理回路、ＲＯＭ、ＲＡＭ等を有し、ＲＯＭに予め書き込まれたプログラムに基づいて動作が実現される。そして、ビデオコントローラ１０２から送信されるプリント指示や画像情報を受信してプリントを行う。エンジン制御部１０３は、ビデオコントローラ１０２からプリント指示を受けると、画像形成装置の各部の駆動を制御する駆動制御部１０８、ＶＩＤＥＯ信号１０７で送信される画像データに基づき画像を形成する画像形成部１１１、形成された画像を記録材に定着させる定着器を制御する定着制御部１０９のそれぞれに動作指示を出して画像形成動作の制御を行う。状態検知部１１０は、画像形成装置の各部の状態を検知するセンサ等であり、状態検知部１１０の検知結果を示す入力信号に基づき、エンジン制御部１０３は画像形成装置の各部の状態の検知を行う。
【手続補正４】
【補正対象書類名】明細書
【補正対象項目名】００２６
【補正方法】変更
【補正の内容】
【００２６】
Ｓ７０６において、エンジン制御部１０３は省電力モードから通常モードへ復帰する復帰指示があるか判断する。エンジン制御部１０３は電源ＳＷがユーザにより操作された場合等に発生する省電力モードから復帰するまで復帰指示の監視を行う。Ｓ７０６において、エンジン制御部１０３は省電力モードからの復帰指示がある場合、Ｓ７０７において、エンジン制御部１０３は省電力モードから復帰するために、各電源の立上げ処理、省電力モード中に中断していた状態検知部の再開処理を行う。さらに駆動制御部、画像形成部、定着制御部の各部画像形成が再開できる状態に復帰される。Ｓ７０８において、エンジン制御部１０３はＳ７０２で保持した給紙部の各センサの情報と現在の給紙部の各センサの情報を比較し、給紙カセット３０１に状態変化が発生しているか否かを判断する。給紙カセット３０１に状態変化が発生している場合は、Ｓ７０９において、エンジン制御部１０３は状態変化ステータスを変化なしから変化ありに変更する。給紙カセット３０１に状態変化が発生していない場合は、状態変化ステータスを変更しない。